(57)【要約】      （修正有）【課題】内袋が破袋した否かを容易に確認できる冷却剤を提供する。【解決手段】顆粒状の硝酸アンモニウム１１と、顆粒状の尿素１２とが充填された透明の外袋体１０と、前記外袋体１０に収納された着色水が充填された内袋体２０と、を備える。【選択図】図１
0003212934.tif 000002
【実用新案登録請求の範囲】
【請求項１】
顆粒状の硝酸アンモニウムと顆粒状の尿素とが充填された透明の外袋体と、
前記外袋体に収納され、着色水が充填された内袋体と、
を備えたことを特徴とする冷却剤。
【請求項２】
前記外袋体の周縁部には、孔部を有する補強部が少なくとも１箇所に設けられている請求項１に記載の冷却剤。
【請求項３】
前記補強部は、前記外袋体の周縁部の２箇所に設けられている請求項１又は２に記載の冷却剤。
【考案の詳細な説明】
【技術分野】
【０００１】
本考案は、冷却剤に関する。
【背景技術】
【０００２】
従来、硝酸アンモニウムが充填された外袋と、外袋内に収納された水が充填された内袋とからなる冷却剤において、内袋を破袋することで、顆粒状の硝酸アンモニウムが水に溶けて冷却効果が得られる冷却剤が知られている（特許文献１参照）。
【先行技術文献】
【特許文献】
【０００３】
【特許文献１】特開２００３−２０７２４３号公報
【考案の概要】
【考案が解決しようとする課題】
【０００４】
しかしながら、このような冷却剤は外袋が不透明であるため、外袋内の内袋が破袋した否かを確認することができず、仮に内袋が破袋して水が外袋内に行き渡っていても、水が顆粒剤と反応しているか確認するのが容易ではなかった。
【０００５】
そこで、本考案は、上述した課題に鑑みてなされたもので、その目的は、内袋が破袋した否かを容易に確認できる冷却剤を提供することにある。
【課題を解決するための手段】
【０００６】
［１］顆粒状の硝酸アンモニウムと顆粒状の尿素とが充填された透明の外袋体と、前記外袋体に収納され、着色水が充填された内袋体と、を備えたことを特徴とする冷却剤。
【０００７】
［２］前記外袋体の周縁部には、孔部を有する補強部が少なくとも１箇所に設けられている前項１に記載の冷却剤。
【０００８】
［３］前記補強部は、前記外袋体の周縁部の２箇所に設けられている前項１又は２に記載の冷却剤。
【考案の効果】
【０００９】
前項［１］の考案によると、顆粒状の硝酸アンモニウムと顆粒状の尿素とが充填された透明の外袋体と、前記外袋体に収納され、着色水が充填された内袋体と、を備えたため、外袋体が透明であるため、外袋体内の内袋体を視認することでき、さらに内袋体内に着色水を充填していることで、使用時に内袋体を破裂させると、着色水が外袋体の全体に行き渡ることが視認でき、内袋体が破裂したかを容易に確認できる。さらに、顆粒状の硝酸アンモニウムともに顆粒状の尿素を加えることで、顆粒状の硝酸アンモニウムのみを水と反応させたときよりも、さらに冷却温度を低くすることができる。
【００１０】
前項［２］の考案によると、前記外袋体の周縁部には、孔部を有する補強部が少なくとも１箇所に設けられているため、使用時において、補強部の孔部にフック等を引っ掛けることができる。これにより、例えばフック等を介してバンドを取り付けると、冷却剤を容易に患部に固定することができる。さらに、冷却剤とこの冷却剤と輸液等の身体に投与される液体とが接する状態で、冷却剤と液体とをフックで吊り下げることで、液体を冷やしながら患者に投与することができる。さらに、前記補強部を有することで、補強部が強く引っ張られて外袋体が破れるのを防ぐことができる。
【００１１】
前項［３］の考案によると、前記補強部は、前記外袋体の周縁部の２箇所に設けられているため、使用時において、２箇所の補強部の孔部にフック等を引っ掛けることができる。これにより、１箇所にフック等を引っ掛けるようにも、２箇所にフック等を引っ掛けることで、冷却剤を身体又は身体以外の他の物に、種々の取付方法によって固定できる。
【図面の簡単な説明】
【００１２】
【図１】図１は本考案の一実施形態に係る冷却剤の斜視図である。
【図２】図２は同冷却剤の平面図である。
【図３】図３は同冷却剤のＡ−Ａ断面図である。
【図４】図４は同冷却剤の使用方法を説明した説明図である。
【図５】図５は同冷却剤の別の使用方法を説明した説明図である。
【図６】図６は同冷却剤の別の使用方法を説明したもので、（ａ）は帯状体の裏面、（ｂ）は帯状体の表面を説明する説明図である。
【図７】図７は図６の使用方法を説明した説明図である。
【図８】図８は同冷却剤の別の使用方法を説明した説明図である。
【考案を実施するための形態】
【００１３】
以下、図面を参照して、本考案の一実施形態について説明する。図１〜図３に示すように、冷却剤１は、外袋体１０と前記外袋体１０に収納された内袋体２０とを備えている。
【００１４】
外袋体１０には、顆粒状の硝酸アンモニウム（硝安）１１と、顆粒状の尿素１２とが充填されている。また、顆粒状の硝酸アンモニウム１１と顆粒状の尿素１２との重量比率は、５０：５０〜８０：２０が好ましく、５０：５０〜７０：３０が特に好ましい。さらに、上述のとおり、外袋体１０には内袋体２０が収納されている。
【００１５】
外袋体１０の形状は長方形状の袋状に形成されている。外袋体１０は透明である。外袋体１０の材質はポリエチレンテレフタレート（ＰＥＴ）である。
【００１６】
外袋体１０の周縁部１３の両短辺側１３ａには、周縁部１３を補強する補強部３０が設けられている。補強部３０にはフックを引っ掛ける孔部３１が形成されている。この孔部３１にはフックが引っ掛けることができる。補強部３０の材質は好ましくはアルミニウムであり、より好ましくはポリエチレンテレフタレート（ＰＥＴ）である。
【００１７】
内袋体２０には着色水２１が充填されている。着色水２１は、例えば水に色素を加えたもの、例えば食品添加物を採用できる。着色する色としては、例えば、赤色、青色、黄色、緑色などの色を採用でき、好ましくは青色である。
【００１８】
内袋体２０の形状は四角形状の袋状に形成されている。内袋体２０は透明である。内袋体２０は外袋体１０内に固定されておらず、外袋体１０内で自由に移動できるようになっている。内袋体２０の材質は好ましくはポリエチレン（ＰＥ）、より好ましくはポリエチレンテレフタレート（ＰＥＴ）である。
【００１９】
次に本実施形態の使用方法について説明すると、図４に示すように、使用時に、冷却剤１を叩いて内袋体２０を破裂させると、内袋体２０内の着色水２１が外袋体１０の全体に行き渡り、着色水２１が顆粒状の硝酸アンモニウムと、顆粒状の尿素と接触することで反応して、吸熱効果が生じる。このとき、外袋体１０が透明であるため、内袋体２０の着色水２１が内袋体２０から外袋体１０全体に行き渡ることが視認でき、内袋体２０が破裂したかを容易に確認できる。次に冷却剤１が冷却効果を生じたら、補強部３０の孔部３１にフックを介して、身体に固定するバンド２を取り付けて、冷却剤１を患部に固定することができる。
【００２０】
本実施形態は、以下の効果を奏することができる。
【００２１】
上記実施形態によると、顆粒状の硝酸アンモニウム１１と、顆粒状の尿素１２とが充填された透明の外袋体１０と、前記外袋体１０に収納された着色水２１が充填された内袋体２０とを備えたため、外袋体１０内の内袋体２０を視認することでき、さらに内袋体２０内に着色水２１を充填していることで、使用時に内袋体２０を破裂させると、着色水２１が外袋体１０の全体に行き渡ることが視認でき、内袋体２０が破裂したかを容易に確認できる。
【００２２】
さらに、顆粒状の硝酸アンモニウム１１ともに顆粒状の尿素１２を加えることで、顆粒状の硝酸アンモニウムのみを水と反応させたときよりも、さらに冷却温度を低くすることができる。
【００２３】
さらに、前記外袋体１０の周縁部１３の両短辺側１３ａにバンド２を取り付ける補強部３０が２箇所設けられているため、２箇所の補強部３０の孔部３１にフック等を引っ掛けることができる。
【００２４】
以上、本考案の一実施形態に基づいて説明してきたが、本考案は上記実施形態に限定されるものではなく、その考案の範囲で適宜変更であり、以下のように構成しても良い。
【００２５】
（１）上記実施形態によると、補強部３０は冷却剤１の周縁部１３の短辺側１３ａに設けたが、本考案はこれに限定されるものではなく、例えば長辺側１３ｂに設けても良い。
【００２６】
（２）上記実施形態によると、内袋体２０は透明のものを採用したが、本考案はこれに限定されるものではなく、例えば不透明なものを採用しても良い。
【００２７】
（３）上記実施形態によると、補強部３０に身体に固定するバンド２を取り付けことで、冷却剤１を身体に固定できるとしたが、本考案はこれに限定されるものではなく、図５に示すように、例えば、サポーター５を、フック５１を介して冷却剤１に取り付けることにより、冷却剤１を首等の局所に固定しても良い。また、サポーター５は、伸縮性を有するものまたは伸縮性を有しないもののいずれもでも良い。
【００２８】
（４）上記実施形態によると、補強部３０の孔部３１にフックを介して身体に固定するバンド２を取り付けことで、冷却剤１を身体に固定できるとしたが、本考案はこれに限定されるものではなく、例えば、図６、図７に示すように、全体が帯状に形成され、短辺側の両端同士を面ファスナー６２によって脱着可能に結合できる帯状体６であって、前記帯状体６の裏面６３（身体と接す側）に、フック６１を介して冷却剤１を固定することができようにしても良い。これにより、例えば冷却剤１を引っ掛けた帯状体６を、患者の首等に巻き付けることで患部を冷却することができる。また、面ファスナー６２に限定されるものではなく、種々の結合手段を採用できる。また、全体が帯状に形成された帯状体としたが、このような形態以外にも、例えば冷却剤１を、環状に形成された環状体にフックを介して引っ掛けるようにしても良い。
【００２９】
（５）上記実施形態によると、補強部３０の孔部３１にフックを介して身体に固定するバンド２を取り付けことで、冷却剤１を身体に固定できるとしたが、本考案はこれに限定されるものではなく、例えば、図８に示すように、加圧バッグ４と前記加圧バッグ４に収納された輸液４１とを備え、前記加圧バッグ４に設けられたフック４２に、冷却剤１の補強部３０の孔部３１を引っ掛けることにより、輸液４１を冷却しながら患者に投与することができる。ひいては、間接的に患者の体温を下げることができる。このように冷却剤１は患者の身体に直接接触させなくても良い。また、患者に注入されるのは、輸液４１に限定されるものではなく、患者に注入される好適な液体であれば、種々の液体を採用できる。
【符号の説明】
【００３０】
１  冷却剤
１０  外袋体
１１  顆粒状の硝酸アンモニウム
１２  顆粒状の尿素
１３  周縁部
１３ａ  周縁部短辺側
１３ｂ  周縁部長辺側
２０  内袋体
２１  着色水
３０  補強部  
３１  孔部
２    バンド
４    加圧バッグ
４１  輸液
４２  フック
５    サポーター
５１  フック
６    帯状体
６１  フック
６２  面ファスナー
６３  裏面
【図１】
0003212934.tif 000003
【図２】
0003212934.tif 000004
【図３】
0003212934.tif 000005
【図４】
0003212934.tif 000006
【図５】
0003212934.tif 000007
【図６】
0003212934.tif 000008
【図７】
0003212934.tif 000009
【図８】
0003212934.tif 000010
【手続補正書】
【提出日】平成29年8月3日(2017.8.3)
【手続補正１】
【補正対象書類名】実用新案登録請求の範囲
【補正対象項目名】全文
【補正方法】変更
【補正の内容】
【実用新案登録請求の範囲】
【請求項１】
顆粒状の硝酸アンモニウムと顆粒状の尿素とが充填された透明の外袋体と、
前記外袋体に収納され、着色水が充填された内袋体と、
を備えたことを特徴とする冷却剤。
【請求項２】
前記外袋体の周縁部には、孔部を有する補強部が少なくとも１箇所に設けられている請求項１に記載の冷却剤。
【請求項３】
前記補強部は、前記外袋体の周縁部の２箇所に設けられている請求項２に記載の冷却剤。